(57)【要約】  動物用リード（１）は、特に犬のリードとして適応しており、ゴム棒（３）の形をとるクッションエレメント（２）とこのクッションエレメント（２）を取り巻く防護スリーブ（５）とから成っている。防護スリーブ（５）は組み紐で編んだ伸縮可能なプラスチック材で出来た柔軟性の噛みに強いチューイングバンドの形をとっている。【選択図】          図１
2009517076.tif 000002
【特許請求の範囲】
【請求項１】
動物用リードにして、ショックを吸収するためのクッションエレメント（２）を含み、クッションエレメント（２）は防護スリーブ（５）よって取り巻かれていることを特徴とする動物用リード。
【請求項２】
請求項１の動物用リードにして、防護スリーブ（５）が弾性の噛みに強い材料のチューイングバンド（４）の形をとっていることを特徴とする動物用リード。
【請求項３】
請求項２の動物用リードにして、チューイングバンド（４）が組み紐の伸縮可能なプラスチック材料で出来ていることを特徴とする動物用リード。
【請求項４】
上述の請求項のいずれか一つの動物用リードにして、クッションエレメント（２）が弾力的に変形可能な材料で出来ていることを特徴とする動物用リード。
【請求項５】
上述の請求項のいずれか一つの動物用リードにして、クッションエレメント（２）がゆるみ状態にある時には防護スリーブ（５）によって取り巻かれていることを特徴とする動物用リード。
【請求項６】
上述の請求項のいずれか一つの動物用リードにして、防護スリーブ（５）がその一方の端（７）でクッションエレメント（２）に取り外しできるように結合されることを特徴とする動物用リード。
【請求項７】
上述の請求項のいずれか一つの動物用リードにして、クッションエレメント（２）がゴム棒（３）の形をとっていることを特徴とする動物用リード。
【請求項８】
請求項７の動物用リードにして、本動物用リードが、ゴム棒（３）の両端に固定された取付け突起（６）と、この取付け突起（６）に結合した接続エレメント（１１）とを含んでいることを特徴とする動物用リード。
【請求項９】
請求項８の動物用リードにして、本動物用リードが、シャックル（９、１０）の形をとるアイ構造を含み、このそれぞれが突起（６）の別々の一つに接続エレメント（１１）の一つを結合していることを特徴とする動物用リード。
【請求項１０】
請求項８乃至９の動物用リードにして、その接続エレメント（１１）がスナップフック（１２）の形をとっていることを特徴とする動物用リード。
【請求項１１】
請求項１から７のいずれか一つの動物用リードにして、クッションエレメント（２）と防護スリーブ（５）とがそれぞれの端部に於いてループ（９０，１００）の形をとるアイ構造を形作っていることを特徴とする動物用リード。
【請求項１２】
上述の請求項のいずれか一つの動物用リードにして、本動物用リードは、クッションエレメント（２）と防護スリーブ（５）とが引き込み時に保持器（１４）の中に受け入れられるように形成されているリトラクタブルリード保持器（１４）を含んでいることを特徴とする動物用リード。
【請求項１３】
上述の請求項のいずれか一つの動物用リードにして、本動物用リードが動物の首輪（２１）の形をとっていることを特徴とする動物用リード。
【発明の詳細な説明】
【技術分野】
【０００１】
本発明は動物用リードに関する。特に本発明は犬用リードに関する。
【背景技術】
【０００２】
犬によって引き起こされた動物用リードにかかるショックや衝撃を少なくとも部分的に吸収する弾性クッションエレメントを持つ犬用の動物用リードは、犬と犬を連れて歩く人との両方に懸かる危害のリスクを軽減している。例えば、もし、犬が突然飛び上がったり又は急に立ち止まったりすると、リードは急激なショックにさらされ、老人や身体の弱い人がひっくり返ったり、人に危害を及ぼしたりすることがある。このようなショックは又、犬にも、特に犬の首周辺に危害をもたらすことがある。このようなショックや衝撃は又、犬用のリードが例えば引裂きによって損傷をうけ、それによって犬用リードの寿命が短くなるリスクが大きくなる。
【０００３】
上述したような問題点を解決する為に、このようなショックや衝撃を和らげるように犬用リード内にクッションエレメントを組み込むことが知られている。この種の動物用リードはDT  24  02  614に開示されており、ここではクッションエレメントが圧力スプリング、特にゴムスプリングの形を採っている。
【０００４】
前述した種類の動物用リードの別の例はUS  5  706  764、US  5  873  328、GB  2  114  864A,又はWO  95/31895が知られている。クッションエレメントが例えばゴム棒の形のものはこのクッションエレメントが完全にむき出しになっている。クッションエレメントが例えば伸長スプリングの形のものに関してはこのクッションエレメントは金属製のスリーブ内に収められているものの金属製スリーブがクッションエレメントに損害を与えるか動物に危害を与えうる。
【発明の開示】
【発明が解決しようとする課題】
【０００５】
犬、特に小さな又はじゃれたがりの動物は、リードに、従って通常は動物の首輪に近接して位置するクッションエレメントに、繰り返し噛み付くことがよくある。クッションエレメントが防護されていない場合は、該当するクッションエレメントが長期間使用しているうちに弱められ損傷する恐れがある。
【課題を解決するための手段及び発明の効果】
【０００６】
本発明はそれ故、使用が簡単であり、防護が改良され、寿命が長い、前述した種類の動物用リードを提供することに基づいている。
【０００７】
本発明によると、クッションエレメントはチューイングバンドの形を採る防護スリーブによって取り巻かれている。このような防護スリーブは二重の目的を持っている。一方では損傷を及ぼす環境的要素からクッションエレメントを防護するのに役立ち、他方ではクッションエレメントを損傷することなく犬が防護スリーブに噛み込んでもいいようにしている。それ故動物は自身を傷つけることが無く、クッションエレメントは長期間の使用にわたって弱くなったり損傷したりすることが無くなる。
【０００８】
本発明の有利である別の応用例によると、チューイングバンドは柔軟性で噛みに強い材質、好ましくは伸縮性のプラスチックの組み紐で作られている。これは充分に柔軟性であり、充分な強度、特に堅さを持っているので、動物はこれを噛み通すことが出来ない。
【０００９】
本発明の好ましい別の応用例によると、クッションエレメントは、引っ張り力がかかっていない時は防護スリーブに完全に取り巻かれている。このことは、引っ張り力がかかっていない時にはクッションエレメントが完全に防護されていることを意味する。クッションエレメントが不意に突起や鉤に引っかかったりしないのみならず、気象条件による損傷も受けることが無い。
【００１０】
特に好ましいデザインによると、防護スリーブはその端部で分離できるようにクッションエレメントに繋がっている。このことは既存のクッションエレメントを本発明の防護スリーブで改装することが出来き、動物用リードを本発明のもののように結果としてもたらすことが出来る。このことは又、同一の防護スリーブをいろいろの異なったクッションエレメントに取り付けることを可能にしている。従って本発明の動物用リードは多種多様に適応させることが出来る。例えば、動物が小さい場合は、この防護スリーブは短めの又は円周の小さなクッションエレメントに適合させることが出来る。動物が成長してたくましくなった場合は上述のクッションエレメントをより堅固なクッションエレメントに置き換えることが出来る。本防護スリーブはそれ自体一つのクッションエレメントから別のクッションエレメントに転用できる。
【００１１】
更に別の応用例によると、クッションエレメントは弾性のゴム棒状をしており、好ましくはゴムロープの形状をしており、取り外しが出来るように動物用リードの別の構成要素に接続されている。このようなゴム棒は比較的に軽量で、デザインがシンプルで、使用が安全であり、製造コストを安く出来る。すでに言及したように、クッションエレメントを取り外しできる可能性は、本発明のパーツをどのような種類の動物用リードでも改装できるようにしている。従って、従来の動物用リードを本発明の主題であるリードに改造することが可能である。
【００１２】
本発明の動物用リードは二つの取付け突起を含んでおり、それぞれがゴム棒の両端の別々の端に固定されている。
【００１３】
有利であるのは、本動物用リードが、シャックルの形にアイ構造を有して、クッションエレメントの両端で取付け突起を経て、結合エレメント好ましくはスプリングスナップフックをつなぐ為に結合されている。このようなシャックルは結合エレメントを取付け突起を経てクッションエレメントに接続することを可能にし、同時にクッションエレメントを容易に取替え可能にしている。
【００１４】
本発明の更に別の応用例によれば、本動物用リードは、リードが引き込まれた時にクッションエレメントと防護スリーブとが保持器内に収まるように形成されたいわゆるリトラクタブルリード保持器の形を採っている。このことは、クッションエレメントと防護スリーブとが使用中でない時には適当に防護され、又はクッションエレメントと防護スリーブとが引っ張り力を受けていない時にはこれらのパーツと本発明の動物用リードの寿命に有利な効果をもたらすことを意味している。
【００１５】
別のデザインでは本動物用リードは動物の首輪の形を採っている。これは、動物が急なショックや衝撃を受けた時に、首輪が弾性のクッション材質で出来ているので首の周りに創傷を受けない利点がある。従って、本動物用リードによって、動物に作用する衝撃力が和らげられる。
【００１６】
本発明の好ましい別の応用例によれば、クッションエレメントと防護スリーブとは接続エレメント取付け用のそれぞれの端部にループ状のアイ構造を形成している。接続エレメントの例はスプリングスナップフック又はリングであることができ、ここではスプリングスナップフックは分離できるようにフックすることが出来る。このことは、例えば首輪を容易に動物からとりはずことが出来るし、別のリード又はバンドにつなぐことが出来ることを意味している。動物用リードが首輪の形をしている時にはチューイング防護としての防護スリーブはクッションエレメントを防護するだけでなく、クッションエレメントが引っ張りのあとで収縮する際に防護スリーブがない時に起こりうる動物の毛皮が痛ましく挟まれたりすることから動物の身体を防護する。
【発明を実施するための最良の形態】
【００１７】
本発明の詳細な特徴は、本発明の制約のない例によって添付した概略図に関し且つ図示したように以下に記述されている。
【００１８】
図面の図１を参照すると、動物用リード、特に犬用リードが参照番号1によって全体的に示されている。図1に於いて、断面を示す断面マーキングは明解をきすために省略してある。
【００１９】
動物用リード１はすくなくとも部分的にショックを吸収する弾性クッションエレメント２を含んでいる。クッションエレメント２は、縦長であらかじめ決められた長さと直径を持つ弾力性の変形可能なゴム棒３の形をしている。このゴム棒３は弾力性ロープの形をしている。このゴム棒３は全体的に円筒状の外形を有している。動物用リード1は二つの取付け突起６を含み、それぞれがゴム棒３の別々の端部に固定されている。
【００２０】
動物用リード１は、ゴム棒３を取り巻いてチューイングバンドの形状をしている防護スリーブ５を含んでいる。本発明の好ましい応用例によれば、この防護スリーブ５は弾性の噛みに強い材質、好ましくは伸長可能なプラスチックの組み紐で出来ている。図１に示すように、ゴム棒３は緩んで応力を受けない状態にある時には防護スリーブ５によって完全に取り巻かれている。“チューイングバンド”という用語は全ての種類のバンドと且つ組み紐形状のバンドとを含むように広義に解釈されるべきである。従って、このようなバンドは互いに組み合わさった、特に織り交ざった、種々の部分的バンドから成っていて良い。
【００２１】
図１と２に示したように、防護スリーブ５の一方の端７  (図の１と２では左側の端に当たる)は、左側取付け突起６に取り外しできるように接続されている。防護スリーブの端部７は例えば取付け突起６にインターロックスレッド（ここでは図示していない）を手段として固定されている。防護スリーブ５の別の端部８（防護スリーブ５の図１と２とでは右端に当たる）は開いており、右側の取付け突起６には結合していない。
【００２２】
別の実施例（ここでは図示していない）によると、防護スリーブ５はゴム棒３の両端７，８で取付け突起６に結合されている。この実施例では好ましくは防護スリーブ５が両端で取付け突起６に取り外しできるように結合されている。
【００２３】
図１及び２で概略的に図示したように、クッションエレメント２は好ましくはリードの拡張パーツに取り付けられている。この目的のために、本動物リードはシャックル９，１０の形をとるアイ構造を含み、それぞれが取付け突起６の別々の一つに結合されている。シャックル９、１０はスプリングスナップフック１２の形をとる接続エレメント１１に取り付けられる。
【００２４】
図１及び２に示すように、シャックル９，１０のそれぞれはＵ字形をしており、それぞれの取付け突起６に用意されたホールに受け止めれられたスクリュウ又はピン１３によって左右の取付け突起６のそれぞれ一つづつに接続されている。
【００２５】
使用に際しては、接続エレメント１１の一つは、動物の首輪（ここでは図示していない）に取り外しできるように、例えば首輪にスナップフック１２をかけることによって取り付けられる。その際、動物用リード１の別の端は従来のリード（ここでは図示していない）に、好ましくはスプリングスナップフック１２のような接続エレメントを手段として取り付けられる。使用に際しては、防護スリーブ５の取付け端７は動物の首輪に近接している。しかし別の配置では防護スリーブ５の別の端８が動物の首輪に近接していても良い。後者の配置は、犬が雨の中を散歩して歩く時に防護スリーブ５が雨水で満たされないという利点がある。
【００２６】
犬が例えば急に動き出した場合には、ゴム棒３は図２に矢印Ａで示したように張力を受け、ゴム棒３は引っ張られる。これは図２に示したようにゴム棒３の右端が防護スリーブ５からのはみだしを起こす。更に、張力Ａがかかるとゴム棒３の直径が縮小する。図２における直径の収縮は単に目に見えるようにする為であって必ずしもスケール通りではないことは当然である。
【００２７】
しかし、防護スリーブ５は、張力を受けた時にクッションエレメント２が完全に防護スリーブに覆われるような長さであっても良い。このような実施例は図２に於いて点線で示してある。防護スリーブの内径は好ましくは充分に大きくシャックル９，１０が少なくとも部分的に防護スリーブ内に収まるようであってよい。
【００２８】
本発明の別の実施例によると、図３に示したように、本発明の動物リードはいわゆるリトラクタブルリード保持器１４を含んでいる。この実施例では、クッションエレメント２と防護スリーブ５とが引込み時には保持器１４の中に納まっている。
【００２９】
このようなリトラクタブルリード保持器は、図３に概略的に示したトーションスプリング１５を持っている。図３に示したような引張り力Ａがかかると、トーションスプリング１５は、矢印Ｂ方向にプッシュボタン１６を押すとロック（ここでは図示していない）がはずれリードとゴム棒３とが矢印Ａの反対方向にリトラクタブルリード保持器１４の中に引き込まれる程度に伸びる。リトラクタブルリード保持器１４はフープ形のハンドル１７を有して、好ましくはプッシュボタン１６が親指で作動されうるように手で持てるのが良い。
【００３０】
図３のリトラクタブルリード保持器１４はその底部に突起１８を有して内部通路を確定し、保持器の底部が図３に示した全長を有し、これは好ましくは応力を受けていない時のゴム棒３の長さに一致している。接続エレメント１１はシャックル９，１０によって取付け突起６につながって取り付けられているので、シャックル９，１０の一方とスプリングスナップフック１２とは図３に点線で示したように上方に湾曲させて保持器１４の中に引き込ませる。
【００３１】
従って、（好ましい実施例に示したようにゴム棒３の形の）クッションエレメント２を、（スプリングスナップフック１２の形の）クッションエレメント１１を分離することによって取り替えることが可能であり、状況に応じ動物に応じて適応できる。例えば、犬を都会で散歩に連れて歩く時は
短めのトートゴム棒が使え、森や野原をつれて歩く時は長めのゴム棒か又は弾性の良いものを使うことが出来る。リトラクタブルリード保持器１４の突出部１８の開口と内径は、好ましくは防護スリーブ５を保持器の中に引き込めるようなサイズが良い。
【００３２】
本発明の別の形態が図４の平面図で示されている。図４では、動物用リード１は動物の首輪２１の形をしている。首輪２１はゴム棒３の形をとるクッションエレメント２と、伸縮可能なプラスチック組み紐材２２で出来た防護スリーブ５を含んでいる。クッションエレメント２と特にゴム棒３とは図４では点線で示されている。クッションエレメント２は縦長方向の軸２３を有している。防護スリーブ５は、防護スリーブ５の左端に示したようにプラスチックの組み紐材２２で出来ている。
【００３３】
図４にも示したように、クッションエレメント２と防護スリーブ５とは共に、首輪２１の左端でスプリングスナップフック１２の形及び首輪２１の右端で固定リング２４の形をした接続エレメント１１を取り付けるためにループ９０、１００の形のアイ構造を形作っている。スプリングスナップフック１２は固定リング２４に取り外し可能であるようにフックできる。
【００３４】
ループ９０，１００は、ループを形成するようにそれぞれの端を覆ってゴム棒３と防護スリーブ５を折り重ねることによって形成される。ループ９０，１００はそれぞれの基部で強力な粘着テープ２５又はループの基部で防護スリーブをくるむコードを手段として動かないようにされる。
【００３５】
さまざまな長さと厚さのクッションエレメント５が使用できる。従来の動物用リードも又、本発明の動物用リードのパーツによって改装することが出来る。
【００３６】
本発明は、使用が簡単で特に防護が改良され従って寿命が長い動物用リードを供給するという利点を有し、ここではその防護スリーブが特にチューイングバンドとしてデザインされている。
【図面の簡単な説明】
【００３７】
【図１】図１は、本発明による動物用リードの概略的な部分的断面側面図である。
【図２】図２は、図１の動物用リードの概略的部分断面側面図、引き伸ばし状態である。
【図３】図３は、リトラクタブルリード保持器を備えた動物用リードの概略的な部分的断面側面図である。
【図４】図４は、動物用の首輪形状をした動物用リードの概略的な平面図である。
【符号の説明】
【００３８】
１  動物用リード
２  クッションエレメント
３  ゴム棒
５  防護スリーブ
６、１８  突起
７、８  端
９、１０  シャックル
１１  接続エレメント
１２  スプリングスナップフック
１３  スクリュウ又はピン
１４  リトラクタブルリード保持器
１５  トーションスプリング
１６  プッシュボタン
１７  ハンドル
１８  突出部
２１  首輪
２２  プラスチック組み紐材
２３  軸
２４  固定リング
２５  粘着テープ
９０、１００  ループ
【図１】
2009517076.tif 000003
【図２】
2009517076.tif 000004
【図３】
2009517076.tif 000005
【図４】
2009517076.tif 000006
【国際調査報告】
2009517076.tif 000007
2009517076.tif 000008
2009517076.tif 000009